【手続補正書】
【提出日】令和3年5月28日(2021.5.28)
【手続補正１】
【補正対象書類名】特許請求の範囲
【補正対象項目名】請求項１
【補正方法】変更
【補正の内容】
【請求項１】
第１電極と、
前記第１電極に対向した第２電極と、
前記第１電極と前記第２電極との間に介在され、第１化合物を含む第１層と、
前記第１層と前記第２電極との間に介在され、第２化合物を含む第２層と、
前記第２層と前記第２電極との間に介在され、第３化合物を含む第３層と、を含み、
前記第１化合物は、＊＝Ｎ−＊’を有する窒素含有ヘテロ環基を環形成部分構造として含まず、
前記第１化合物は、化学式１−１〜１−３、化学式２Ｈ−１、２Ｄ−１、２Ｄ−２、式３−１および３−２によって表される化合物から選択され、前記第２化合物は、化学式１−１〜１〜３、化学式２Ｄ−１および２Ｄ−２によって表される化合物から選択され、前記第３化合物は、化学式２Ｈ−１、２Ｄ−１、２Ｄ−２、化学式３−１および３−２によって表される化合物から選択され、
【化１】
2021132221.tif 000001
【化２】
2021132221.tif 000002
前記化学式１−１、１−２、１−３、２Ｈ−１、２Ｄ−１、２Ｄ−２、３−１及び３−２中、
Ｘ１はＣ（Ｒ４１）またはＮであり、
Ｘ２はＣ（Ｒ４２）またはＮであり、
Ｘ３はＣ（Ｒ４３）またはＮであり、
Ｌ２１〜Ｌ２４、Ｌ３１〜Ｌ３４、およびＬ４１〜Ｌ４３は、それぞれ独立して、置換もしくは非置換のＣ３−Ｃ１０シクロアルキレン基、置換もしくは非置換のＣ１−Ｃ１０ヘテロシクロアルキレン基、置換もしくは非置換のＣ３−Ｃ１０シクロアルケニレン基、置換もしくは非置換のＣ１−Ｃ１０ヘテロシクロアルケニレン基、置換もしくは無置換のＣ６−Ｃ６０アリーレン基、置換もしくは無置換のＣ１−Ｃ６０ヘテロアリーレン基、置換もしくは無置換の２価の非芳香族縮合多環基、および置換もしくは無置換の２価の非芳香族縮合ヘテロ多環基から選択され、
Ｌ２５は、置換もしくは非置換のＣ３−Ｃ１０シクロアルキレン基、置換もしくは非置換のＣ１−Ｃ１０ヘテロシクロアルキレン基、置換もしくは非置換のＣ３−Ｃ１０シクロアルケニレン基、置換もしくは非置換のＣ１−Ｃ１０ヘテロシクロアルケニレン基、置換もしくは非置換のＣ６−Ｃ６０非縮合アリーレン基、および置換もしくは非置換のＣ１−Ｃ６０非縮合ヘテロアリーレン基から選択され、
Ｌ３５は、置換もしくは非置換のＣ６−Ｃ６０縮合多環アリーレン基、置換もしくは非置換のＣ１−Ｃ６０縮合多環ヘテロアリーレン基、置換もしくは非置換の２価の非芳香族縮合多環基、および置換もしくは非置換の２価の非芳香族縮合ヘテロ多環基から選択され、
ｂ１〜ｂ５、ｄ１〜ｄ５、およびｇ１〜ｇ３は、それぞれ独立して、０〜３の整数であり、
Ａｒ２１〜Ａｒ２４、Ａｒ３１〜Ａｒ３４、およびＡｒ４１〜Ａｒ４３は、それぞれ独立して、下記化学式Ａ〜Ｃで表される基、置換もしくは無置換のＣ３−Ｃ１０シクロアルキル基、置換もしくは無置換のＣ１−Ｃ１０ヘテロシクロアルキル基、置換もしくは無置換のＣ３−Ｃ１０シクロアルケニル基、置換もしくは無置換のＣ１−Ｃ１０ヘテロシクロアルケニル基、置換もしくは非置換のＣ６−Ｃ６０アリール基、ビフェニリル基、ターフェニリル基、置換もしくは非置換のＣ１−Ｃ６０ヘテロアリール基、置換もしくは非置換の一価の非芳香族縮合多環基、および置換もしくは非置換の一価の非芳香族縮合ヘテロ多環基からなる群から選択され、
Ｒ２１〜Ｒ２４、Ｒ３１、およびＲ４１〜Ｒ４４は、それぞれ独立して、水素、重水素、−Ｆ、−Ｃｌ、−Ｂｒ、−Ｉ、ヒドロキシル基、シアノ基、ニトロ基、アミノ基、アミジノ基、ヒドラジン基、ヒドラゾン基、カルボン酸基またはその塩、スルホン酸基またはその塩、リン酸基またはその塩、リン酸基またはその塩、置換もしくは非置換のＣ１−Ｃ６０アルキル基、置換もしくは非置換のＣ２−Ｃ６０アルケニル基、置換もしくは非置換のＣ２−Ｃ６０アルキニル基、置換もしくは非置換のＣ１−Ｃ６０アルコキシ基、置換もしくは非置換のＣ３−Ｃ１０シクロアルキル基、置換もしくは非置換のＣ１−Ｃ１０ヘテロシクロアルキル基、置換もしくは非置換のＣ３−Ｃ１０シクロアルケニル基、置換もしくは非置換のＣ１−Ｃ１０ヘテロシクロアルケニル基、置換もしくは非置換のＣ６−Ｃ６０アリール基、置換もしくは非置換のＣ６−Ｃ６０アリールオキシ基、置換もしくは非置換のＣ６−Ｃ６０アリールチオ基、置換もしくは無置換のＣ１−Ｃ６０ヘテロアリール基、置換もしくは無置換の一価の非芳香族縮合多環基、置換もしくは無置換の一価の非芳香族縮合ヘテロ多環基、ビフェニリル基、ターフェニリル基、および−Ｓｉ（Ｑ４３）（Ｑ４４）（Ｑ４５）から選択され、
ｃ１、ｃ４、ｈ１、ｈ４は、それぞれ独立して、０〜４の整数であり、ｅ１は０〜４の整数であり、ｃ２、ｃ３、ｈ２、ｈ３は、それぞれ独立して、０〜３の整数であり、
前記化学式１−１において、Ａｒ２１〜Ａｒ２３から選択される少なくとも１つは、前記化学式Ａ〜Ｃで表される基から選択される基であり、
前記化学式１−２において、Ａｒ２１〜Ａｒ２４から選択される少なくとも１つは、前記化学式Ａ〜Ｃで表される基から選択される基であり、
前記化学式１−３において、Ａｒ２１およびＡｒ２２から選択される少なくとも１つは、前記化学式Ａ〜Ｃで表される基から選択される基であり、
前記化学式２Ｈ−１において、Ａｒ３１は、前記化学式Ａ〜Ｃで表される基から選択される基であり、
前記化学式２Ｄ−１において、Ａｒ３１〜Ａｒ３４から選択される少なくとも１つは、前記化学式Ａ〜Ｃで表される基から選択される基であり、
前記化学式２Ｄ−２において、Ａｒ３１〜Ａｒ３３から選択される少なくとも１つは、前記化学式Ａ〜Ｃで表される基から選択される基であり、前記化学式Ａ〜Ｃで表される基から選択された基は、−Ｎ（Ｑ１）（Ｑ２）を含み、
前記化学式３−１において、Ａｒ４１〜Ａｒ４３から選択される少なくとも１つは、前記化学式Ａ〜Ｃで表される基から選択される基であり、
前記化学式３−２において、Ａｒ４１およびＡｒ４２から選択される１つは、前記化学式Ａ〜Ｃで表される基から選択される基であり、
置換されたＣ３−Ｃ１０シクロアルキレン基、置換されたＣ１−Ｃ１０ヘテロシクロアルキレン基、置換されたＣ３−Ｃ１０シクロアルケニレン基、置換されたＣ１−Ｃ１０ヘテロシクロアルケニレン基、置換されたＣ６−Ｃ６０アリーレン基、置換されたＣ６−Ｃ６０非縮合アリーレン基、置換されたＣ６−Ｃ６０縮合多環アリーレン基、置換されたＣ１−Ｃ６０ヘテロアリーレン基、置換されたＣ１−Ｃ６０非縮合ヘテロアリーレン基、置換されたＣ１−Ｃ６０縮合多環ヘテロアリーレン基、置換された２価の非芳香族縮合多環基、置換された２価の非芳香族縮合ヘテロ多環基、置換されたＣ１−Ｃ６０アルキル基、置換されたＣ２−Ｃ６０アルケニル基、置換されたＣ２−Ｃ６０アルキニル基、置換されたＣ１−Ｃ６０アルコキシ基、置換されたＣ３−Ｃ１０シクロアルキル基、置換されたＣ１−Ｃ１０ヘテロシクロアルキル基、置換されたＣ３−Ｃ１０シクロアルケニル基、置換されたＣ１−Ｃ１０ヘテロシクロアルケニル基、置換されたＣ６−Ｃ６０アリール基、置換されたＣ６−Ｃ６０アリールオキシ基、置換されたＣ６−Ｃ６０アリールチオ基、置換されたＣ１−Ｃ６０ヘテロアリール基、置換された一価の非芳香族縮合多環基、および置換された一価の非芳香族縮合ヘテロ多環基の置換基は、
重水素、−Ｆ、−Ｃｌ、−Ｂｒ、−Ｉ、ヒドロキシル基、シアノ基、ニトロ基、アミノ基、アミジノ基、ヒドラジン基、ヒドラゾン基、カルボン酸基またはその塩、スルホン酸基またはその塩、リン酸基またはその塩、Ｃ１−Ｃ６０アルキル基、Ｃ２−Ｃ６０アルケニル基、Ｃ２−Ｃ６０アルキニル基、およびＣ１−Ｃ６０アルコキシ基；
重水素、−Ｆ、−Ｃｌ、−Ｂｒ、−Ｉ、ヒドロキシル基、シアノ基、ニトロ基、アミノ基、アミジノ基、ヒドラジン基、ヒドラゾン基、カルボン酸基またはその塩、スルホン酸基またはその塩、リン酸基またはその塩、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価の非芳香族縮合多環基、一価の非芳香族縮合ヘテロ多環基、および−Ｓｉ（Ｑ１３）（Ｑ１４）（Ｑ１５）からからなる群より選択された少なくとも１つで置換された、Ｃ１−Ｃ６０アルキル基、Ｃ２−Ｃ６０アルケニル基、Ｃ２−Ｃ６０アルキニル基、およびＣ１−Ｃ６０アルコキシ基；
Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価の非芳香族縮合多環基、一価の非芳香族ヘテロ縮合多環基、ビフェニリル基およびターフェニリル基；
重水素、−Ｆ、−Ｃｌ、−Ｂｒ、−Ｉ、ヒドロキシル基、シアノ基、ニトロ基、アミノ基、アミジノ基、ヒドラジン基、ヒドラゾン基、カルボン酸基またはその塩、スルホン酸基またはその塩、リン酸基またはその塩、Ｃ１−Ｃ６０アルキル基、Ｃ２−Ｃ６０アルケニル基、Ｃ２−Ｃ６０アルキニル基、Ｃ１−Ｃ６０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価の非芳香族縮合多環基、一価の非芳香族ヘテロ縮合多環基、ビフェニリル基、ターフェニリル基、およびＳｉ（Ｑ２３）（Ｑ２４）（Ｑ２５）からなる群より選択された少なくとも一つで置換された、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価の非芳香族縮合多環基、および一価の非芳香族ヘテロ縮合多環基；並びに
−Ｓｉ（Ｑ３３）（Ｑ３４）（Ｑ３５）；からなる群より選択され、  前記Ｑ１３〜Ｑ１５、Ｑ２３〜Ｑ２５、Ｑ３３〜Ｑ３５、およびＱ４３〜Ｑ４５は、互いに独立して、水素、重水素、−Ｆ、−Ｃｌ、−Ｂｒ、−Ｉ、ヒドロキシル基、シアノ基、ニトロ基、アミノ基、アミジノ基、ヒドラジン基、ヒドラゾン基、カルボン酸基またはその塩、スルホン酸基またはその塩、リン酸基またはその塩、Ｃ１−Ｃ６０アルキル基、Ｃ２−Ｃ６０アルケニル基、Ｃ２−Ｃ６０アルキニル基、Ｃ１−Ｃ６０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ１−Ｃ６０ヘテロアリール基、一価の非芳香族縮合多環基、一価の非芳香族ヘテロ縮合多環基、ビフェニリル基、およびターフェニリル基からなる群より選択され、  前記第１化合物、前記第２化合物および前記第３化合物は、互いに独立して、前記化学式Ａ〜Ｃのいずれかで表される基を少なくとも１つ含む、有機発光素子：
【化３】
2021132221.tif 000003
前記化学式Ａ〜Ｃ中、
環Ａ１、環Ａ１１および環Ａ１２は、互いに独立して、Ｃ５−Ｃ３０炭素環およびまたはＣ２−Ｃ３０ヘテロ環であり、
Ｒ１、Ｒ２、Ｒ１１およびＲ１２は、互いに独立して、
水素原子、重水素原子、−Ｆ、−Ｃｌ、−Ｂｒ、−Ｉ、ヒドロキシル基、シアノ基、ニトロ基、アミノ基、アミジノ基、ヒドラジン基、ヒドラゾン基、カルボン酸基またはその塩、スルホン酸基またはその塩、リン酸基またはその塩、置換もしくは非置換のＣ１−Ｃ６０アルキル基、置換もしくは非置換のＣ２−Ｃ６０アルケニル基、置換もしくは非置換のＣ２−Ｃ６０アルキニル基、および置換もしくは非置換のＣ１−Ｃ６０アルコキシ基；
重水素原子、−Ｆ、−Ｃｌ、−Ｂｒ、−Ｉ、ヒドロキシル基、シアノ基、ニトロ基、アミノ基、アミジノ基、ヒドラジン基、ヒドラゾン基、カルボン酸基またはその塩、スルホン酸基またはその塩、リン酸基またはその塩から選択された少なくとも一つで置換されたＣ１−Ｃ６０アルキル基、Ｃ２−Ｃ６０アルケニル基、２−Ｃ６０アルキニル基、およびＣ１−Ｃ６０アルコキシ基；
Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価の非芳香族縮合多環基、および一価の非芳香族ヘテロ縮合多環基；
重水素、−Ｆ、−Ｃｌ、−Ｂｒ、−Ｉ、ヒドロキシル基、シアノ基、ニトロ基、アミノ基、アミジノ基、ヒドラジン基、ヒドラゾン基、カルボン酸基またはその塩、スルホン酸基またはその塩、リン酸基またはその塩、Ｃ１−Ｃ６０アルキル基、Ｃ２−Ｃ６０アルケニル基、Ｃ２−Ｃ６０アルキニル基、Ｃ１−Ｃ６０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価の非芳香族縮合多環基、一価の非芳香族ヘテロ縮合多環基から選択された少なくとも一つで置換された、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、一価の非芳香族縮合多環基、および一価の非芳香族ヘテロ縮合多環基；並びに
−Ｎ（Ｑ１）（Ｑ２）、−Ｓｉ（Ｑ３）（Ｑ４）（Ｑ５）および−Ｂ（Ｑ６）（Ｑ７）
；からなる群より選択され、
前記Ｑ１〜Ｑ７は、互いに独立して、水素原子、重水素原子、−Ｆ、−Ｃｌ、−Ｂｒ、−Ｉ、ヒドロキシル基、シアノ基、ニトロ基、アミノ基、アミジノ基、ヒドラジン基、ヒドラゾン基、カルボン酸基またはその塩、スルホン酸基またはその塩、リン酸基またはその塩、Ｃ１−Ｃ６０アルキル基、Ｃ２−Ｃ６０アルケニル基、Ｃ２−Ｃ６０アルキニル基、Ｃ１−Ｃ６０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ１−Ｃ６０ヘテロアリール基、一価の非芳香族縮合多環基、および一価の非芳香族ヘテロ縮合多環基からなる群より選択され、
ａ１、ａ１１およびａ１２は、互いに独立して、０〜１０の整数であり、
ａ２は、０〜２の整数であり、
＊および＊’は、隣接する原子との結合サイトである。